(57)【要約】【課題】雌ネジ部材の回動操作の容易化を図り、しかも、締め過ぎによる天板の損傷を回避できるビルトイン式ガスコンロを提供する。【解決手段】本体部が、鍔部３をカウンタトップ側に係止支持する状態でカウンタトップＫａに組み付けられ、周縁部がカウンタトップＫａの上面に接当する天板Ｇ２が設けられ、雄ネジ部材３２が、天板Ｇ２の下面部に設けた板状装着部３０の上方に頭部３２ａを位置させかつ雄ネジが形成された棒状部３２ｂを板状装着部３０の下方に貫通させる形態で設けられ、板状装着部３０を貫通した棒状部３２ｂの先端側部分が貫通する板状の受止部Ｕが、本体部側に設けられ、棒状部３２ｂの先端側部分に螺合する雌ネジ部材３４が、受止部Ｕに接当する形態で設けられ、設定回動力以上での雄ネジ部材３２の回動を許容する状態で雄ネジ部材３２の回動を阻止する回動阻止部Ｒが設けられている。【選択図】図５
2018179472.tif 000002
【特許請求の範囲】
【請求項１】
コンロバーナを備える本体部が、カウンタトップに形成した矩形状の開口に挿入される状態で、且つ、その上端に備える鍔部が前記カウンタトップ側に係止支持される状態で、前記カウンタトップに組み付けられ、
前記カウンタトップに組み付けられた前記本体部を覆い且つ周縁部が前記カウンタトップの上面に接当する状態に装着される天板が設けられ、
頭付の雄ネジ部材が、前記天板の下面部に設けた板状装着部の上方に頭部を位置させかつ雄ネジが形成された棒状部を板状装着部の下方に貫通させる形態で設けられ、
前記板状装着部を貫通した前記棒状部の先端側部分が貫通する板状の受止部が、前記本体部側に設けられ、
前記受止部を貫通した前記棒状部の先端側部分に螺合する雌ネジ部材が、前記受止部に接当する形態で設けられたビルトイン式ガスコンロであって、
設定回動力以上での前記雄ネジ部材の回動を許容する状態で前記雄ネジ部材の回動を阻止する回動阻止部が設けられているビルトイン式ガスコンロ。
【請求項２】
前記頭部が、角部を偶数個備える多角形状であり、
前記回動阻止部が、前記頭部の前記角部に対して回転を阻止する形態で係合する一対の係合片を、前記角部のうちの対向する一対の角部に係合させる状態で、かつ、前記頭部の回動を許容すべく弾性後退自在に支持した状態で設ける形態に構成されている請求項１記載のビルトイン式ガスコンロ。
【請求項３】
前記板状装着部が、前記天板の下面部に接続される板状体であり、
一対の前記係合片が、前記板状装着部に設けられている請求項２記載のビルトイン式ガスコンロ。
【請求項４】
一対の前記係合片が、前記板状装着部から前記頭部の存在側に折曲げる形態で、前記板状装着部と一体形成されている請求項３記載のビルトイン式ガスコンロ。
【請求項５】
前記天板が、ガラスプレートと、当該ガラスプレートの下面側を載置支持する金属製の載置プレートと、前記ガラスプレートの周縁部に位置する周縁枠と、前記載置プレートを載置支持する固定具とを備える形態に構成され、
前記周縁枠が、前記ガラスプレートと前記カウンタトップとの間に上下方向に沿う姿勢で位置する主体部分と、当該主体部分の上端部から前記カウンタトップの存在側に延出して前記カウンタトップの上面に接当するカウンタトップ接当部分と、前記主体部分の上端部から前記ガラスプレートの存在側に延出して前記ガラスプレートの上面に接当するガラスプレート接当部分とを備える形態に構成され、
前記固定具が、前記周縁枠の前記主体部分に対して下側への移動を規制された係合状態で設けられている請求項１〜４のいずれか１項に記載のビルトイン式ガスコンロ。
【請求項６】
前記鍔部を含めた前記本体部の前後幅又は横幅の少なくとも一方が、前記開口の前後幅又は横幅よりも小さく形成され、
前記鍔部を載置支持する載置枠が、前記開口の縁部に係止支持される状態で設けられ、
前記鍔部が、前記開口の縁部にて係止支持された前記載置枠に載置されることより、前記カウンタトップ側に係止支持されるように構成され、
前記受止部が、前記載置枠にて構成されている請求項１〜５のいずれか１項に記載のビルトイン式ガスコンロ。
【請求項７】
前記鍔部が、前記カウンタトップに係止されるように構成され、
前記受止部が、前記鍔部にて構成されている請求項１〜５のいずれか１項に記載のビルトイン式ガスコンロ。
【発明の詳細な説明】
【技術分野】
【０００１】
本発明は、コンロバーナを備える本体部が、カウンタトップに形成した矩形状の開口に挿入される状態で、且つ、その上端に備える鍔部が前記カウンタトップ側に係止支持される状態で、前記カウンタトップに組み付けられ、
前記カウンタトップに組み付けられた前記本体部を覆い且つ周縁部が前記カウンタトップの上面に接当する状態に装着される天板が設けられ、
頭付の雄ネジ部材が、前記天板の下面部に設けた板状装着部の上方に頭部を位置させかつ雄ネジが形成された棒状部を板状装着部の下方に貫通させる形態で設けられ、
前記板状装着部を貫通した前記棒状部の先端側部分が貫通する板状の受止部が、前記本体部側に設けられ、
前記受止部を貫通した前記棒状部の先端側部分に螺合する雌ネジ部材が、前記受止部に接当する形態で設けられたビルトイン式ガスコンロに関する。
【背景技術】
【０００２】
かかるビルトイン式ガスコンロは、本体部が、カウンタトップに形成した矩形状の開口に挿入される状態で装着され、その本体部が天板にて覆われるものであるから、使い易く、また、カウンタトップの上部側箇所を美麗な状態にできるものである。
また、天板の周縁部がカウンタトップの上面に接当する状態に装着されるものであるから、その周縁部とカウンタトップの上面との間を通して、煮汁等の液分が侵入することを抑制できることになり、特に、雌ネジ部材の締付により、天板の周縁部をカウンタトップの上面に密着させることができるから、煮汁等の液分が侵入することを的確に抑制し易いものである。
【０００３】
かかるビルトイン式ガスコンロの従来例として、雄ネジ部材が板状装着部を単に貫通する状態で設けられ、その雄ネジ部材における受止部を貫通した棒状部の先端側部分に対して、雌ネジ部材を螺合させるように構成されたものがある（例えば、特許文献１参照。）。
【先行技術文献】
【特許文献】
【０００４】
【特許文献１】特開２０１２‐９７９７５号公報
【発明の概要】
【発明が解決しようとする課題】
【０００５】
従来のビルトイン式ガスコンロにおいては、雄ネジ部材が板状装着部を単に貫通する状態で設けられるものであるから、雌ネジ部材を回動操作して締め付けるときに、雄ネジ部材も回動することがあるため、雌ネジ部材を回動操作するときには、例えば、回動を阻止するように雄ネジ部材を手指にて把持した状態で、雌ネジ部材を回動操作する必要があり、雌ネジ部材の回動操作が行い難い不都合があった。
【０００６】
本発明は、上記実状に鑑みて為されたものであって、その目的は、雌ネジ部材の回動操作の容易化を図り、しかも、締め過ぎによる天板の損傷を回避できるビルトイン式ガスコンロを提供する点にある。
【課題を解決するための手段】
【０００７】
本発明のビルトイン式ガスコンロは、コンロバーナを備える本体部が、カウンタトップに形成した矩形状の開口に挿入される状態で、且つ、その上端に備える鍔部が前記カウンタトップ側に係止支持される状態で、前記カウンタトップに組み付けられ、
前記カウンタトップに組み付けられた前記本体部を覆い且つ周縁部が前記カウンタトップの上面に接当する状態に装着される天板が設けられ、
頭付の雄ネジ部材が、前記天板の下面部に設けた板状装着部の上方に頭部を位置させかつ雄ネジが形成された棒状部を板状装着部の下方に貫通させる形態で設けられ、
前記板状装着部を貫通した前記棒状部の先端側部分が貫通する板状の受止部が、前記本体部側に設けられ、
前記受止部を貫通した前記棒状部の先端側部分に螺合する雌ネジ部材が、前記受止部に接当する形態で設けられたものであって、その特徴構成は、
設定回動力以上での前記雄ネジ部材の回動を許容する状態で前記雄ネジ部材の回動を阻止する回動阻止部が設けられている点にある。
【０００８】
すなわち、雌ネジ部材を回動操作するときに、回動阻止部にて雄ネジ部材の回動が阻止されているから、手指等により雄ネジ部材の回動を阻止する必要がないため、雌ネジ部材の回動操作を容易に行うことができる。
【０００９】
しかも、回動阻止部は、設定回動力以上での雄ネジ部材の回動を許容する状態で雄ネジ部材の回動を阻止するものであるから、雌ネジ部材を回動操作する際に、雄ネジ部材に作用する回動力が設定回動力以上になると、雄ネジ部材が回動するものとなるため、必要以上に締付過ぎることにより、天板が下方側に必要以上に引っ張られて、天板が損傷する等の不都合を回避することができる。
【００１０】
要するに、本発明のビルトイン式ガスコンロの特徴構成によれば、雌ネジ部材の回動操作の容易化を図り、しかも、締め過ぎによる天板の損傷を回避できる。
【００１１】
本発明のビルトイン式ガスコンロの更なる特徴構成は、前記頭部が、角部を偶数個備える多角形状であり、
前記回動阻止部が、前記頭部の前記角部に対して回転を阻止する形態で係合する一対の係合片を、前記角部のうちの対向する一対の角部に係合させる状態で、かつ、前記頭部の回動を許容すべく弾性後退自在に支持した状態で設ける形態に構成されている点にある。
【００１２】
すなわち、雄ネジ部材の頭部は、一般に、４角形や６角形等、角部を偶数個備える多角形状に形成されることになり、回動阻止部が、角部に対して回転を阻止する形態で係合しかつ頭部の回動を許容すべく弾性後退自在に支持した状態で設ける一対の係合片を、角部のうちの対向する一対の角部に係合させるものであるから、一対の係合片にて頭部を挟む状態となる。
【００１３】
このように、一対の係合片にて頭部を挟む状態にて雄ネジ部材の回動を阻止するものであるから、一対の係合片の夫々の角部に対する係合状態が安定するため、設定回動力以上での雄ネジ部材の回動を許容する状態で雄ネジ部材の回動を阻止することを適切に行わせることができる。
【００１４】
つまり、例えば、角部に係合する一つの係合片にて、設定回動力以上での雄ネジ部材の回動を許容する状態で雄ネジ部材の回動を阻止することが考えられるが、この場合、雄ネジ部材が板状装着部に対して径方向の融通を持って貫通する等により、板状装着部に対する雄ネジ部材の位置が径方向に変位し易いことに起因して、係合片の角部に対する係合状態が不安定となり、回動を許容する設定回動力を適切に設定し難い虞がある。
【００１５】
これに対して、一対の係合片にて頭部を挟む状態にて雄ネジ部材の回動を阻止することにより、一対の係合片夫々の角部に対する係合状態が安定して、回動を許容する設定回動力を適切に設定し易いものとなる。
【００１６】
要するに、本発明のビルトイン式ガスコンロの更なる特徴構成によれば、回動を許容する設定回動力を適切に設定しながら、雄ネジ部材の回動を阻止することができる。
【００１７】
本発明のビルトイン式ガスコンロの更なる特徴構成によれば、前記板状装着部が、前記天板の下面部に接続される板状体であり、
一対の前記係合片が、前記板状装着部に設けられている点にある。
【００１８】
すなわち、天板の下面部に接続される板状体として形成されている板状装着部に、一対の係合片が設けられているから、板状体として形成されている板状装着部を天板の下面部に接続することにより、回動阻止部を設置することができるものとなる。
【００１９】
このように、板状装着部を天板の下面部に接続するだけで、回動阻止部を設置することができるものとなるから、回動阻止部の設置作業の簡略化を図ることができる。
【００２０】
要するに、本発明のビルトイン式ガスコンロの更なる特徴構成によれば、回動阻止部の設置作業の簡略化を図ることができる。
【００２１】
本発明のビルトイン式ガスコンロの更なる特徴構成は、一対の前記係合片が、前記板状装着部から前記頭部の存在側に折曲げる形態で、前記板状装着部と一体形成されている点にある。
【００２２】
すなわち、一対の係合片が、板状装着部から頭部の存在側に折曲げる形態で、板状装着部と一体形成されているから、回動阻止部の製作コストの低減化を図ることができる。
【００２３】
つまり、板状装着部と一対の係合片とが平面状に並ぶ形態に、板材をプレス加工し、その後、一対の係合片を頭部存在側に折り曲げるようにする形態で、一対の係合片を備える板状装着部を製作することができるものであるから、例えば、板状装着部と一対の係合片とを各別に形成して、それらを溶接等により接続する場合に較べて、回動阻止部の製作コストの低減化を図ることができる。
【００２４】
要するに、本発明のビルトイン式ガスコンロの更なる特徴構成によれば、回動阻止部の製作コストの低減化を図ることができる。
【００２５】
本発明のビルトイン式ガスコンロの更なる特徴構成は、前記天板が、ガラスプレートと、当該ガラスプレートの下面側を載置支持する金属製の載置プレートと、前記ガラスプレートの周縁部に位置する周縁枠と、前記載置プレートを載置支持する固定具とを備える形態に構成され、
前記周縁枠が、前記ガラスプレートと前記カウンタトップとの間に上下方向に沿う姿勢で位置する主体部分と、当該主体部分の上端部から前記カウンタトップの存在側に延出して前記カウンタトップの上面に接当するカウンタトップ接当部分と、前記主体部分の上端部から前記ガラスプレートの存在側に延出して前記ガラスプレートの上面に接当するガラスプレート接当部分とを備える形態に構成され、
前記固定具が、前記周縁枠の前記主体部分に対して下側への移動を規制された係合状態で設けられている点にある。
【００２６】
すなわち、天板がガラスプレートを備える形態に構成されているから、天板の清掃性の向上を図るようにして、天板を美麗な状態に維持できるものとなる。
【００２７】
このような天板は、載置プレートが下方側に引っ張られることにより、固定具と周縁枠との係合箇所に対して下向きの大きな力が作用して、係合が外れる虞があるが、雌ネジ部材を回動操作する際に、雄ネジ部材に作用する回動力が設定回動力以上になると、雄ネジ部材が回動するものとなるため、固定具と周縁枠との係合が外れることを回避できることになる。
【００２８】
つまり、設定回動力を、固定具と周縁枠との係合が外れない程度の大きさに設定することにより、固定具と周縁枠との係合が外れることを適切に回避しながら、雌ネジ部材の回動操作の容易化を図ることができる。
【００２９】
要するに、本発明のビルトイン式ガスコンロの更なる特徴構成によれば、固定具と周縁枠との係合が外れることを適切に回避しながら、雌ネジ部材の回動操作の容易化を図ることができる。
【００３０】
本発明のビルトイン式ガスコンロの更なる特徴構成は、前記鍔部を含めた前記本体部の前後幅又は横幅の少なくとも一方が、前記開口の前後幅又は横幅よりも小さく形成され、
前記鍔部を載置支持する載置枠が、前記開口の縁部に係止支持される状態で設けられ、
前記鍔部が、前記開口の縁部にて係止支持された前記載置枠に載置されることより、前記カウンタトップ側に係止支持されるように構成され、
前記受止部が、前記載置枠にて構成されている点にある。
【００３１】
すなわち、上端に鍔部を備える本体部は、鍔部を含めた前後幅又は横幅の少なくとも一方が、開口の前後幅又は横幅よりも小さくなるように形成されているため、本体部の上端に備えさせた鍔部が、開口の縁部に係止支持される状態で設けられる載置枠に載置されることにより、カウンタトップ側に係止されることになる。
そして、本体部を覆う状態に天板を装着したときに、雄ネジ部材が、受止部としての載置枠を貫通して下方に突出することになる。
【００３２】
また、鍔部を含めた前後幅又は横幅の少なくとも一方が、開口の前後幅又は横幅よりも小さくなるように形成されている本体部のうちの、開口の前後幅又は横幅よりも小さくなる側の前後又は横側の側面が、カウンタトップの開口の内側面から離れて位置することになるため、本体部の側面とカウンタトップの開口の内側面との間に、雌ネジ部材を操作するための空間を確保することができるものとなり、この空間を利用して雌ネジ部材を操作することができるため、雌ネジ部材に対する操作が行い易いものとなる。
【００３３】
さらに、本体部の鍔部を含めた前後幅又は横幅の少なくとも一方が開口の前後幅又は横幅よりも小さいため、配送のために本体部や天板を梱包するにあたり、本体部の鍔部を含めた前後幅及び横幅が開口前後幅及び横幅よりも大きい場合に較べて、その梱包の大きさを小さくすることができ、配送のための搬送面において有利となるのである。
【００３４】
要するに、本発明のビルトイン式ガスコンロの更なる特徴構成によれば、雌ネジ部材の操作性の向上を図ることができ、かつ、配送のための搬送面において有利となる。
【００３５】
本発明のビルトイン式ガスコンロの更なる特徴構成は、前記鍔部が、前記カウンタトップに係止されるように構成され、
前記受止部が、前記鍔部にて構成されている点にある。
【００３６】
すなわち、本体部の鍔部が、カウンタトップに係止され、雄ネジ部材が、受止部としての鍔部を貫通して下方に突出することになり、その下方に突出する部分に、雌ネジ部材を螺合させることになる。
【００３７】
このように、本体部が本来的に備える鍔部を、受止部として有効利用しながら、天板を下方側に引っ張り操作して固定するものであるから、本来構成を有効利用した簡素な構成にて、天板を固定することができる。
【００３８】
要するに、本発明のビルトイン式ガスコンロの更なる特徴構成によれば、本来構成を有効利用した簡素な構成にて、天板を固定することができる。
【図面の簡単な説明】
【００３９】
【図１】加熱調理設備の斜視図
【図２】加熱調理設備の縦断側面図
【図３】ガスコンロを離脱させた状態のガスコンロ装着部の切欠正面図
【図４】ガスコンロの天板を外した状態の平面図
【図５】ガスコンロ装着部の前端側箇所を示す縦断側面図
【図６】天板の平面図
【図７】天板の裏面図
【図８】天板の正面図
【図９】ガラスプレート固定部の縦断側面図
【図１０】ガラスプレート固定具の斜視図
【図１１】回動阻止部の斜視図
【図１２】回動阻止部の平面図
【図１３】別実施形態のガスコンロ装着部の縦断側面図
【図１４】別実施形態のガスコンロ装着部の切欠正面図
【図１５】別実施形態のガスコンロ装着部の前端側箇所を示す縦断側面図
【発明を実施するための形態】
【００４０】
〔実施形態〕
次に、本発明の実施形態を図面に基づいて説明する。
（全体構成）
図１及び図２に示すように、コンロバーナ１を横幅方向に並べた状態で備えるビルトイン式ガスコンロとしてのガスコンロＧが、キッチンカウンターＫのカウンタトップＫａに形成した矩形状の開口２（図３参照）に挿入される状態で装着されて加熱調理設備が構成されている。
本実施形態においては、コンロバーナ１として、３つのコンロバーナ１Ｌ、１Ｍ、１Ｒが横方向に並べて備えられている。
【００４１】
図２及び図３に示すように、ガスコンロＧは、コンロバーナ１を備える本体部Ｇ１、天板Ｇ２、及び、操作部Ｇ３（図１参照）を主要部として構成されている。
本体部Ｇ１が、カウンタトップＫａの開口２に挿入される状態で、且つ、その上端に備える鍔部３（図４参照）がカウンタトップ側に係止支持される状態で、カウンタトップＫａに組み付けられている。
天板Ｇ２が、カウンタトップＫａに組み付けられた本体部Ｇ１を覆い且つ周縁部をカウンタトップＫａの上面に接当させる状態に装着され、また、天板Ｇ２の上部には、図１に示すように、五徳Ｄが装備されている。
【００４２】
本体部Ｇ１は、底壁及び側壁を備えた金属製の有底筒状のケーシング４の内部に、コンロバーナ１等の機器類を収納して構成され、そのケーシング４の上端に、そのケーシング４と一体形成される状態で鍔部３（図４参照）が設けられている。
【００４３】
ケーシング４は、図２に示すように、上方側部分４Ｕが下方側部分４Ｄよりも、平面視形状が大きくなるように形成されており、上方側部分４Ｕが、下方側部分４Ｄよりも前方側に大きく張り出す張り出し部４Ｕｈを前方側に備えるように構成されている。
そして、上方側部分４Ｕの張り出し部４Ｕｈの下面を利用して、後述の如く、ケーシング４がキッチンカウンターＫに固定されている。
【００４４】
本実施形態においては、本体部Ｇ１が、カウンタトップＫａの前縁よりも後方側に大きく引退した位置に装着され、天板Ｇ２が、本体部Ｇ１の装着箇所を覆う状態で装着されており、カウンタトップＫａにおける天板Ｇ２よりも前側部分が、調理作業面を形成するように構成されている。
【００４５】
操作部Ｇ３は、図１に示すように、横長の帯板状に形成されて、その上面部に、３つのコンロバーナ１Ｌ〜１Ｒの点火及び消火、並びに、火力調整等の操作を行う操作スイッチ類を備えている。
そして、上述の如く、本体部Ｇ１や天板Ｇ２がカウンタトップＫａの前縁よりも後方側に引退した位置に装着されるのに対して、操作部Ｇ３は、キッチンカウンターＫの前縁側部分に装着されている。
【００４６】
具体的には、操作部Ｇ３が、カウンタトップＫａの下方側に収納される収納位置とカウンタトップＫａの前方側に突出する突出位置とに位置変更自在に支持されて、突出位置に位置された状態において、３つのコンロバーナ１Ｌ〜１Ｒの点火及び消火、並びに、火力調整等の操作を行えるようになっている。
尚、例示はしないが、収納位置に位置する操作部Ｇ３を後方側に少し押し込み操作することにより、操作部Ｇ３を突出位置に自動的に位置変更操作し、突出位置に位置する操作部Ｇ３を収納位置に押し込み操作することにより、収納位置に自動的に保持する操作部保持機構が設けられている。
【００４７】
また、図１に示すように、キッチンカウンターＫの前面における操作部Ｇ３の横側箇所には、消火ボタンＢが装備されており、操作部Ｇ３を収納位置に収納してコンロバーナ１を燃焼させている状態において、コンロバーナ１を消火するときに、この消火ボタンＢを押し操作することにより、コンロバーナ１を消火させることができるようになっている。
ちなみに、消火ボタンＢが押し操作されると、３つのコンロバーナ１Ｌ、１Ｍ、１Ｒのうちの点火しているものが全て消火されることになる。
【００４８】
（ガスコンロの係止構成）
本体部Ｇ１の鍔部３は、図４に示すように、本体部Ｇ１の前側に延びる前側の鍔部分３Ｆ（図５参照）、本体部Ｇ１の後側に延びる後側の鍔部分３Ｂ、本体部Ｇ１の左側に延びる左側の鍔部分３Ｌ、及び、本体部Ｇ１の右側に延びる右側の鍔部分３Ｒからなる。
これら鍔部分３Ｆ〜３Ｒは、本体部Ｇ１の同じ高さに形成されている。
【００４９】
本体部Ｇ１の鍔部３を含めた前後幅及び横幅が、開口２の前後幅及び横幅よりも小さく形成され、鍔部３を載置支持する載置枠５が、開口２の縁部に係止支持される状態で設けられている。
そして、鍔部３が、開口２の縁部にて係止支持された載置枠５に載置されることにより、カウンタトップ側に係止支持されるように構成されている。
【００５０】
開口２の周縁部が、カウンタトップＫａの上面よりも下方側に位置する縁部を備える階段状に形成されており、載置枠５が、周縁部の縁部に載置されるようになっている。
本実施形態においては、縁部として、図３〜図５に示すように、開口２の前縁に沿って形成される前方側の縁部ＥＦ、開口２の後縁に沿って形成される後方側の縁部ＥＢ、開口２の左縁に沿って形成される左方側の縁部ＥＬ、及び、開口２の右縁に沿って形成される右方側の縁部ＥＲが設けられている。ちなみに、これら縁部ＥＦ〜ＥＲの上面の高さは同じ高さである。
【００５１】
載置枠５が、図４に示す如く、左右一対の縦枠部分５Ａ、及び、横枠部分５Ｂを備えるように構成されている。
左右一対の縦枠部分５Ａは、カウンタトップＫａの前後幅方向に伸びる長尺状に形成されて、その前後両端が開口２の前方側の縁部ＥＦ及び後方側の縁部ＥＢに載置されるように構成されている。
横枠部分５Ｂは、開口２の前方側の縁部ＥＦに隣接する箇所に、カウンタトップＫａの横幅方向に伸びる長尺状に形成されて、その左右端部が左右一対の縦枠部分５Ａに載置されるように構成されている。
【００５２】
そして、鍔部３における本体部Ｇ１の左右に位置する鍔部分３Ｌ、３Ｒが、左右一対の縦枠部分５Ａに載置され、鍔部３における本体部Ｇ１の前後に位置する前後鍔部分３Ｆ、３Ｂのうちの、横枠部分５Ｂが存在する側の前方側の鍔部分３Ｆが、横枠部分５Ｂに載置され、横枠部分５Ｂが存在しない側の後方側の鍔部分３Ｂが、後方側の縁部ＥＢに載置されるように構成されている。
【００５３】
左右の縦枠部分５Ａは、図３に示すように、断面形状逆Ｕ字状の主体部分を備え、その前後の両端に、図４に示すように、前後の縁部ＥＦ、ＥＢに載置される板状の端部分を備える形態に構成されている。
横枠部分５Ｂは、図５に示すように、断面形状逆Ｕ字状の主体部分を備え、その前後の両端に、図４に示すように、左右の縦枠部分５Ａに載置される板状の端部分を備える形態に構成されている。
【００５４】
上述の如く、開口２の周縁部が、前方側の縁部ＥＦ、後方側の縁部ＥＢ、左方側の縁部ＥＬ、及び、右方側の縁部ＥＲをカウンタトップＫａの上面よりも下方側に位置させた階段状に形成されているため、天板Ｇ２が、開口２に嵌合される形態で装着される状態において、図２に示すように、天板Ｇ２の上面がカウンタトップＫａの上面と同じ高さになるように構成されている。
【００５５】
（天板の構成）
天板Ｇ２は、図６〜図９に示すように、ガラスプレート１０、そのガラスプレート１０の下面側を載置支持する金属製の載置プレート１１、ガラスプレート１０の周縁部に位置する４角形の額縁状の周縁枠１２、及び、載置プレート１１を載置支持する固定具１４を備える形態に構成されている。
【００５６】
周縁枠１２は、図５及び図９に示すように、断面形状がＴ字状であり、ガラスプレート１０とカウンタトップＫａとの間に上下方向に沿う姿勢で位置する主体部分１２ｈと、主体部分１２ｈの上端部からカウンタトップＫａの存在側に延出してカウンタトップＫａの上面に接当するカウンタトップ接当部分１２ａと、主体部分１２ｈの上端部からガラスプレート１０の存在側に延出してガラスプレート１０の上面に接当するガラスプレート接当部分１２ｂとを備える形態に構成されている。
尚、本実施形態においては、カウンタトップ接当部分１２ａが、パッキン１３を介在させた状態で、カウンタトップＫａの上面に接当するように構成されている。
【００５７】
固定具１４は、図７に示すように、周縁枠１２の前方側部分及び後方側部分の長手方向（左右方向）の複数箇所に設けられている。
そして、固定具１４は、図１０に示すように、周縁枠１２の長手方向に沿って伸びる長尺状でかつ緩やかに弓形状に湾曲する縦板部分１４ａ、及び、この縦板部分１４ａの両端部から水平方向に突出する支持板部分１４ｂを主要部として構成され、縦板部分１４ａには、周縁枠１２の主体部分１２ｈの内面側部に形成した係合凹部１２ｃ（図９参照）に下側への移動を規制された状態に係合する係合凸部１４ｃが、打ち出し形成されている。
つまり、固定具１４は、周縁枠１２の主体部分１２ｈに対して下側への移動が規制された係合状態で設けられている。
【００５８】
したがって、固定具１４が、縦板部分１４ａの係合凸部１４ｃを周縁枠１２の係合凹部１２ｃに係合させた状態で、周縁枠１２の内面側部に装着されることにより、ガラスプレート１０及び載置プレート１１が、固定具１４の支持板部分１４ｂと周縁枠１２のガラスプレート接当部分１２ｂとの間に挟まれる状態で、周縁枠１２に支持されるように構成されている。
尚、図９においては記載を省略するが、周縁枠１２、固定具１４、ガラスプレート１０の端面部分、及び、載置プレート１１の端面部分にて囲まれる空間部分には、シリコンが充填されるようになっている。
【００５９】
また、天板Ｇ２には、図６及び図７に示すように、コンロバーナ１を挿通する開口部が形成され、その開口部には、バーナリング１５が装着されている。
このバーナリング１５は、その下面側においてはコンロバーナ１と係合し、かつ、その上面側においては五徳Ｄを位置決め保持するように構成されている。
【００６０】
（キッチンカウンターの構成）
キッチンカウンターＫは、図１及び図２に示すように、下方枠部分Ｄ１と上方枠部分Ｄ２とが段積みされた状態に構成され、上方枠部分Ｄ２の上部に、カウンタトップＫａが装着されている。
上方枠部分Ｄ２は、図２及び図３に示すように、左右の側板１６Ａ、背板１６Ｂ、底板１６Ｃ、及び、底板１６Ｃから立設された仕切り板１６Ｄを備え、また、前面部には、左右の開閉扉１６Ｅ、１６Ｆ、及び、それら開閉扉１６Ｅ、１６Ｆの上方に位置する前側板１６Ｇを備えている。
【００６１】
仕切り板１６Ｄは、上方枠部分Ｄ２の内部空間を左右に仕切るものであって、本実施形態においては、内部空間を左右が不均一となる状態で仕切るように配置されている。そして、左右の開閉扉１６Ｅ、１６Ｆが、仕切り板１６Ｄの仕切り位置に合わせた大きさに形成されている。
【００６２】
上方枠部分Ｄ２の内部の上方側箇所で、且つ、本体部Ｇ１のケーシング４における上方側部分４Ｕの張り出し部４Ｕｈの下方に相当する箇所に、キッチンカウンターＫの横幅方向に伸びる木製の連結板１７が設けられている。
この連結板１７は、左右の端部側部分が左右の側板１６Ａに接続され、かつ、左右の端部側部分の上面が、カウンタトップＫａの底面に接続されて、上方枠部分Ｄ２の強度部材として、機能するように構成されている。
尚、連結板１７とケーシング４の上方側部分４Ｕの張り出し部４Ｕｈの底面との間には、シール材１８が配設されている（図２参照）。
【００６３】
連結板１７と前側板１６Ｇとの間に、左右の側板１６Ａに亘る大きさの薄板状の前遮蔽板１９が配設され、その前遮蔽板１９よりも上方の空間が、上述した操作部Ｇ３や、その操作部Ｇ３と本体部Ｇ１とを接続する電線類等を配設する収納空間として機能するように構成されている。
この前遮蔽板１９は、後端側が連結板１７の前面の凹溝に嵌合し、且つ、前端側が前側板１６Ｇの裏面側に設けられた枠体に着脱自在にビス等により連結された状態で設けられて、着脱できるように構成されており、後述の如く、ガスコンロＧの本体部Ｇ１や天板Ｇ２を装着する作業を行うときには、取り外されることになる。
【００６４】
連結板１７の下方部と背板１６Ｂとの間には、本体部Ｇ１の下方側箇所を覆う後遮蔽板２０が設けられている。
この後遮蔽板２０は、左右の側板１６Ａに亘る大きさに形成されて、両端部が左右の側板１６Ａに着脱自在に接続されており、後述の如く、ガスコンロＧの本体部Ｇ１や天板Ｇ２を装着する作業を行うときには、取り外されることになる。
【００６５】
（ガスコンロの固定構成）
本実施形態においては、本体部止着部Ｐによって、ガスコンロＧの本体部Ｇ１を開口２の縁部ＥＬ、ＥＲ、ＥＦ、ＥＢからの浮き上がりを阻止するように止着するように構成されている。
そして、天板止着部Ｑによって、本体部Ｇ１に対して天板Ｇ２を下方側に引き操作することにより、天板Ｇ２の周縁枠１２におけるカウンタトップ接当部分１２ａをカウンタトップＫａに押圧する状態に止着するように構成されている。
【００６６】
つまり、本実施形態においては、本体部止着部Ｐと天板止着部Ｑとによって、ガスコンロＧの本体部Ｇ１と天板Ｇ２とを止着する形態で、ガスコンロＧを固定するように構成されており、以下、本体部止着部Ｐ、及び、天板止着部Ｑについて説明する。
【００６７】
（本体部止着部の構成）
図２及び図３に示すように、キッチンカウンターＫの内部に配置される連結板１７と本体部Ｇ１のケーシング４における上方側部分４Ｕの張り出し部４Ｕｈの底面とを接続するＬ字状の固定金具２１が、キッチンカウンターＫの横幅方向の３箇所に設けられている。
【００６８】
固定金具２１は、その下方部を連結板１７の前面に当て付けた状態で、ビス２２にて連結板１７に締め付け固定し、かつ、その上方部を張り出し部４Ｕｈの底面に当て付けた状態で、ビス２３にて張り出し部４Ｕｈの底壁に締め付け固定する形態で装着されている。
【００６９】
また、図２及び図４に示すように、カウンタトップＫａの開口２における後方側の縁部ＥＢの下面に当て付ける固定用係止部材２５が、キッチンカウンターＫの横幅方向の２箇所に設けられている。本実施形態においては、固定用係止部材２５の詳細な説明を省略する。
【００７０】
従って、本実施形態の本体部止着部Ｐは、本体部Ｇ１の前側部分をＬ字状の固定金具２１にて止着し、且つ、本体部Ｇ１の後側部分を固定用係止部材２５にて止着する形態に構成されている。
ちなみに、Ｌ字状の固定金具２１を装着する作業は、カウンタトップＫａの下方で行うことになるものの、その固定金具２１を装着する箇所が、キッチンカウンターＫの内部空間のうちの前方側部分であるため、見やすく、手が届き易い箇所であり、固定金具２１を装着する作業を良好に行える。
【００７１】
（天板止着部の構成）
図５及び図７に示すように、板状体をＵ字状に折曲げ加工した板状装着部３０が、両端の接続部３０ａを載置プレート１１の下面に溶接により接続する状態で設けられている。
そして、頭付きの雄ネジ部材３２が、頭部３２ａを板状装着部３０の上方側に位置させ且つ雄ネジが形成された棒状部３２ｂを板状装着部３０の下方に突出させた状態で設けられている。
尚、本実施形態においては、図１１及び図１２に示すように、頭部３２ａが、角部を偶数個備える多角形状として、６角状に形成され、また、頭部３２ａと板状装着部３０との間には、歯付座金３１が介在されている。
【００７２】
この雄ネジ部材３２は、天板Ｇ２が開口２に嵌合された状態において、載置枠５における横枠部分５Ｂの両端部や中間部に対応する位置、及び、縦枠部分５ＡにおけるカウンタトップＫａの奥側に相当する端部に対応する位置に位置させた状態で、天板Ｇ２の周縁部に沿って５つ設けられ（図７参照）、そして、図４に示すように、載置枠５の横枠部分５Ｂや縦枠部分５Ａの雄ネジ部材３２に対応する位置には、雄ネジ部材３２を挿通させる挿通孔３３が形成されている。
【００７３】
つまり、板状装着部３０を貫通した雄ネジ部材３２の棒状部３２ｂの先端側部分が、受止部として機能する載置枠５を貫通するように構成されている。
ちなみに、載置枠５における挿通孔３３が形成された部分は、棒状部３２ｂの先端側部分が貫通しかつ本体部側に設けられた板状の受止部Ｕとして機能することになる。
【００７４】
また、図２、図３及び図９に示すように、載置枠５を貫通する雄ネジ部材３２の棒状部３２ｂの先端側部分に螺合する蝶ナット式の雌ネジ部材３４が、載置枠５（受止部Ｕ）の下面に接当する形態で設けられている。
したがって、天板Ｇ２を装着する際に、雄ネジ部材３２が載置枠５の挿通孔３３を挿通することになり、その状態において、雌ネジ部材３４を締め付けることにより、雄ネジ部材３２を引っ張ることにより、天板Ｇ２を下方側に引っ張り操作した状態に装着できるように構成されている。
【００７５】
図２に示すように、天板Ｇ２の後端側で且つ横幅方向の中央側から下方に向けて突出する状態で天板Ｇ２から連設した被係止片３５（図８参照）を係止して、天板Ｇ２を下方側に引っ張り移動する回動式の係止体３６（図４参照）が設けられている。
本実施形態においては、係止体３６の具体構成や係止体３６を回動操作する構成の詳細を省略する。
【００７６】
したがって、本実施形態の天板止着部Ｑは、天板Ｇ２の前側部分及び横側部分については天板Ｇ２の下方から突出する状態で設けた雄ネジ部材３２を用いて止着し、且つ、天板Ｇ２の後側部分については係止体３６を用いて止着するように構成されている。
ちなみに、雄ネジ部材３２に雌ネジ部材３４を装着する作業は、カウンタトップＫａの下方で行うことになるものの、本体部Ｇ１の前方や横側方であるため、見やすく、手が届き易い箇所であり、雌ネジ部材３４を装着する作業を良好に行える。
【００７７】
（雄ネジ部材の回動阻止構成）
図５、図１１及び図１２に示すように、設定回動力以上での雄ネジ部材３２の回動を許容する状態で雄ネジ部材３２の回動を阻止する回動阻止部Ｒが設けられている。
具体的には、回動阻止部Ｒが、頭部３２ａの角部に対して回転を阻止する形態で係合する屈曲状の一対の係合片３０Ｋを、角部のうちの対向する一対の角部に係合させる状態で、かつ、頭部３２ａの回動を許容すべく弾性後退自在に支持した状態で設ける形態に構成されている。
【００７８】
したがって、雌ネジ部材３４を締め付ける際に、雄ネジ部材３２の回動が回動阻止部Ｒにて阻止され、且つ、雄ネジ部材３２に作用する回動力が設定回動力以上になると、一対の係合片３０Ｋの弾性後退により、雄ネジ部材３２の回動が許容されるように構成されている。
【００７９】
本実施形態においては、一対の係合片３０Ｋが、板状装着部３０に設けられている。
具体的には、一対の係合片３０Ｋが、板状装着部３０から頭部３２ａの存在側に折曲げる形態で、板状装着部３０と一体形成されている。
ちなみに、一対の係合片３０Ｋを備える板状装着部３０を製作する手順としては、板状体のプレス加工により、図１１に仮想線で示す如く、板状装着部３０と一対の係合片３０Ｋとが平面状に並ぶ状態となるように加工し、その後、板状装着部３０を折曲げ加工し又一対の係合片３０Ｋを板状装着部３０から折り曲げ加工する手順を用いることができる。
尚、一対の係合片３０Ｋを屈曲状に折り曲げる加工は、上述のプレス加工のとき、又は、プレス加工後に行うことができる。
【００８０】
〔別実施形態〕
次に別実施形態について説明するが、上記実施形態と同じ構成については説明を省略して、異なる構成を説明する。
上記の実施形態においては、本体部Ｇ１が載置枠５を用いてカウンタトップＫａに装着される場合を例示したが、この別実施形態においては、図１３〜図１５に示すように、鍔部３を含めた本体部Ｇ１の前後幅や横幅が、カウンタトップＫａの開口２の前後幅や横幅より大きく形成されて、本体部Ｇ１の鍔部３が、開口２の前後や左右の縁部ＥＦ〜ＥＲに係止されている。
【００８１】
そして、上記実施形態おいては、天板Ｇ２から下方に突出する状態で設けた雄ネジ部材３２を挿通させる挿通孔３３を載置枠５に形成するのに対して、この別実施形態においては、挿通孔３３が、本体部Ｇ１の鍔部３に形成されている（図１５参照）。
つまり、挿通孔３３が、鍔部３における前方側の鍔部分３Ｆ、及び、左右両横側の鍔部分３Ｌ、３Ｒに形成されて、鍔部３における挿通孔３３が形成された部分が、棒状部３２ｂの先端側部分が貫通しかつ本体部側に設けられた板状の受止部Ｕとして機能することになる。
【００８２】
また、上記実施形態においては、天板Ｇ２が開口２に嵌合された状態において挿通孔３３より突出する雄ネジ部材３２の先端部に螺合される雌ネジ部材３４が、載置枠５の下面に当て付けられる場合を例示したが、この別実施形態においては、この雌ネジ部材３４が鍔部３の下面に当て付けられことになる。
【００８３】
ちなみに、この別実施形態においても、本体部止着部Ｐが装備されて、本体部Ｇ１の浮き上がりが阻止されており、雌ネジ部材３４の締め付けにより、本体部Ｇ１が浮き上がることが規制されている。
【００８４】
〔その他の実施形態〕
次にその他の実施形態を列記する。
（イ）上記実施形態においては、３つのコンロバーナを横幅方向に並べた状態で備えさせる場合を例示したが、４つ以上のコンロバーナを横幅方向に並べた状態で備えさせる形態や、一対のコンロバーナを横幅方向に並べた状態で備えさせる形態で実施してもよい。
【００８５】
（ロ）上記実施形態では、ガスコンロ装備専用のキッチンカウンターＫに本体部Ｇ１や天板Ｇ２を装備する場合を例示したが、シンクを装備する形態のキッチンカウンター等、種々のキッチンカウンターに装備する形態で実施してもよい。
【００８６】
（ハ）上記実施形態では、鍔部３を含めた本体部Ｇ１の前後幅及び横幅が、開口２の前後幅及び横幅よりも小さく形成される場合を例示したが、鍔部３を含めた本体部Ｇ１の横幅を、開口２の横幅よりも小さく形成して、鍔部３を含めた本体部Ｇ１の前後幅を、開口２の前後幅よりも大きく形成して、鍔部３における本体部Ｇ１の前後に位置する前後鍔部分３Ｆ、３Ｂを、開口２の前方側の縁部ＥＦ及び後方側の縁部ＥＢに、直接的に載置する形態で実施してもよい。
【００８７】
（二）上記実施形態においては、開口２の縁部を階段状に形成して、その階段状の縁部に、載置枠５や鍔部３を載置する場合を例示したが、開口２の縁部として、カウンタトップＫａの上面を用いる形態で実施してもよい。
【００８８】
（ホ）上記実施形態及び別実施形態では、回動阻止部Ｒを、一対の係合片３０Ｋを備える形態に構成する場合を例示したが、回動阻止部Ｒの具体構成は、各種変更できる。
【００８９】
（へ）上記実施形態及び別実施形態では、雄ネジ部材３２の頭部３２ａと板状装着部３０との間に歯付座金３１を配置するようにしたが、歯付座金３１を省略する形態で実施してもよい。
【００９０】
（ト）上記実施形態及び別実施形態では、板状装着部３０を、天板Ｇ２の載置プレート１１とは別体に構成する場合を例示したが、載置プレート１１の一部を、板状装着部３０として兼用する形態で実施してもよい。
【００９１】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【００９２】
１        コンロバーナ
２        開口
３        鍔部
５        載置枠
１０      ガラスプレート
１１      載置プレート
１２      周縁枠
１２ａ    カウンタトップ接当部分
１２ｂ    ガラスプレート接当部分
１２ｈ    主体部分
１４      固定具
３０      板状装着部
３０Ｋ    係合片
３２      雄ネジ部材
３２ａ    頭部
３２ｂ    棒状部
３４      雌ネジ部材
Ｇ１      本体部
Ｇ２      天板
Ｋａ      カウンタトップ
Ｒ        回動阻止部
Ｕ        受止部
【図１】
2018179472.tif 000003
【図２】
2018179472.tif 000004
【図３】
2018179472.tif 000005
【図４】
2018179472.tif 000006
【図５】
2018179472.tif 000007
【図６】
2018179472.tif 000008
【図７】
2018179472.tif 000009
【図８】
2018179472.tif 000010
【図９】
2018179472.tif 000011
【図１０】
2018179472.tif 000012
【図１１】
2018179472.tif 000013
【図１２】
2018179472.tif 000014
【図１３】
2018179472.tif 000015
【図１４】
2018179472.tif 000016
【図１５】
2018179472.tif 000017